(57)【要約】【課題】外力が加わって端子台が器具本体から外れてしまうのを防止することのできる照明器具を提供する。【解決手段】一方向に撓み自在な一対の主片１４ａを有する係止爪１４を一対備えるとともに外部電源からの給電線が接続される端子台１と、放電灯Ｌａが着脱自在に装着されるソケット２０と、端子台１と負荷線で接続されるとともにソケット２０を介して放電灯Ｌａに点灯電力を供給する安定器と、一面に端子台１の係止爪１４が各々係止される一対の係止孔２３，２４が貫設されるとともにソケット２０及び安定器を収納する器具本体２とから成り、係止孔２４は、長手方向が係止爪１４の主片１４ａの撓み方向に沿った略矩形状であって、その長手方向に沿った内周縁にはそれぞれ互いに向き合う方向に突出した突部２４ａが設けられ、突部２４ａを係止孔２４から外れない程度に撓んだ主片１４ａと接触する寸法にした。【選択図】図１
2010080349.tif 000002
【特許請求の範囲】
【請求項１】
一方向に撓み自在な一対の主片を有する係止爪を一対備えるとともに外部電源からの給電線が接続される端子台と、放電灯が着脱自在に装着される一乃至複数のソケットと、端子台と負荷線で接続されるとともにソケットを介して放電灯に点灯電力を供給する安定器と、一面に端子台の係止爪が各々係止される一対の係止孔が貫設されるとともにソケット及び安定器を収納する器具本体とから成る照明器具であって、少なくとも一方の係止孔は、長手方向が係止爪の主片の撓み方向に沿った略矩形状であって、その長手方向に沿った内周縁にはそれぞれ互いに向き合う方向に突出した突部が設けられ、突部は、係止爪が係止孔に係止された状態において変位していない主片と接触する寸法、若しくは係止孔から外れない程度に変位した主片と接触する寸法に形成されたことを特徴とする照明器具。
【請求項２】
前記突部は、係止孔の内周縁の長手方向における端部から略中央部にかけて曲面形状に形成されたことを特徴とする請求項１記載の照明器具。
【発明の詳細な説明】
【技術分野】
【０００１】
本発明は、電源線と器具本体内の配線との中継を成す端子台を備えた照明器具に関する。
【背景技術】
【０００２】
従来から、ソケットを介して放電灯等の光源に点灯電力を供給する安定器からの負荷線が結線される端子台を器具本体に取り付け、施工時に屋内配線された給電線を端子台に結線することで放電灯に点灯電力を供給する照明器具が提供されている。この種の照明器具に用いられる端子台には、例えば特許文献１に開示されているようなものがある。
【０００３】
以下、上記のような照明器具の従来例について図面を用いて説明する。先ず、本従来例の概略について説明する。尚、以下の説明では、図３（ｃ）における上下左右を上下左右方向と定めるものとする。この従来例は、図３（ａ）〜（ｄ）に示すように、下面を開口した長尺箱形の器具本体２と、器具本体２内部の長手方向における両端部に設けられて直管形の放電灯Ｌａが着脱自在に装着されるソケット２０と、器具本体２内部に設けられてソケット２０を介して放電灯Ｌａに点灯電力を供給する安定器（図示せず）と、器具本体２内側の上面に設けられて安定器からの負荷線（図示せず）及び屋内配線された外部電源（図示せず）からの給電線（図示せず）が接続される端子台１とから成る。
【０００４】
器具本体２の下側左右両端部には、それぞれ外方向に突出する断面略コ字状の取付片２１が長手方向に沿って一体に形成されており、該取付片２１を天井（図示せず）に格子状に配設された天井バー（図示せず）に取り付けることで、器具本体２が天井に配設されるようになっている。また、器具本体２上面には、給電線を器具本体２内部に案内するための略円形状の挿通孔２２が貫設されている。
【０００５】
器具本体２上面において端子台１が取り付けられる部位には、図５（ａ）に示すように、後述する一対の係止爪１４がそれぞれ挿入される一対の係止孔２３，２４が貫設されている。また、係止孔２３，２４の間には、後述する接地片１３ｅが挿入される接地孔２５と、後述する取付孔１５と併せてタッピンねじ等の組立ねじ（図示せず）が挿通される略円形状のねじ挿通孔２６と、後述する突起１６が挿通される略円形状の突起挿通孔２７とが一列に並んで貫設されている。係止孔２３は、係止爪１４の各主片１４ａが挿通される一対の略矩形状の長孔２３ａと、各長孔２３ａと連通するとともに係止爪１４が挿通可能な大きさで形成された略矩形状の連通孔２３ｂとから成る。尚、長孔２３ａの連通孔２３ｂ側の端部には、係止爪１４の各主片１４ａを案内し易いように連通孔２３ｂ側に拡開したテーパが設けられている。係止孔２４は、係止爪１４の各主片１４ａを互いに近付く向きに撓ませた状態で挿通可能な大きさで略矩形状に形成されている。
【０００６】
次に、端子台１について図面を用いて説明する。尚、以下の説明では、図４（ａ）における左右を左右方向、紙面手前側を前方向、紙面奥側を後方向と定めるものとする。端子台１は、図４（ａ）〜（ｆ）に示すように、合成樹脂材料から略直方体状に形成されたハウジング１０と、ハウジング１０の左側面に設けられて安定器からの負荷線が接続される負荷線接続部１１と、ハウジング１０の前面に設けられて給電線が接続される給電線接続部１２と、ハウジング１０の前面に設けられて接地線（図示せず）が接続される接地線接続部１３と、ハウジング１０の左右両側面にそれぞれ設けられて器具本体２の一面に貫設された一対の係止孔２３，２４に挿入係止される一対の係止爪１４とを備える。
【０００７】
負荷線接続部１１は、各々負荷線が挿入される２対の負荷線挿入孔１１ａ，１１ｂを備え、ハウジング１０内部に設けられた鎖錠ばね（図示せず）によって挿入された負荷線を挟持して保持する所謂速結端子構造となっている。また、負荷線挿入孔１１ａ，１１ｂの近傍には、それぞれドライバー等の治具を挿入して押圧することで鎖錠ばねによる挟持を解除するための解除孔１１ｃが貫設されている。
【０００８】
給電線接続部１２は、給電線が挿入される一対の給電線挿入孔１２ａ，１２ｃと、送り用の給電線が挿入される一対の送り給電線挿入孔１２ｂ，１２ｄとを備え、負荷線接続部１１と同様に速結端子構造を有する。互いに隣接している給電線挿入孔１２ａ，１２ｃの間と、互いに隣接している送り給電線挿入孔１２ｂ，１２ｄの間とにはそれぞれ略Ｔ字状の解除レバー１２ｅがハウジング１０と一体に形成されている。この解除レバー１２ｅの一端部をドライバー等の治具で押圧することで、鎖錠ばねによる給電線の挟持を解除できるようになっている。
【０００９】
接地線接続部１３は、接地線が挿入される接地線挿入孔１３ａと、送り用の接地線が挿入される接地線挿入孔１３ｂとを備え、負荷線接続部１１及び給電線接続部１２と同様に速結端子構造を有する。また、前記解除レバー１２ｅと同様に、各接地線挿入孔１３ａ，１３ｂに対応して一対の解除レバー１３ｃがハウジング１０と一体に形成されている。ハウジング１０の内部には、各接地線挿入孔１３ａ，１３ｂから挿入された接地線と電気的に接続される金属板から成る端子板１３ｄが収納されており、端子板１３ｄの一部である接地片１３ｅがハウジング１０の後面に露設されている。接地片１３ｅは、ハウジング１０の後面から後方に向かって突出し、端子台１を器具本体２に取り付ける際に接地孔２５に挿入され、接地孔２５の内周縁と接触することで器具本体２と電気的に接続されるようになっている。
【００１０】
係止爪１４は、例えば６６ナイロン等の樹脂材料から成り、一端部が互いに近付くように傾斜した一対の主片１４ａと、各主片１４ａの他端部同士を連結する連結片１４ｂとから断面略三角形状に形成されている。各主片１４ａは連結片１４ｂとの連結部分を支点として撓み自在となっている。また、主片１４ａの一端部には、外方向に突出する断面略三角形状の突片１４ｃが一体に形成されている。突片１４ｃは、係止孔２３，２４に係止爪１４が挿入された状態で、係止孔２３，２４の周部に当接することで係止爪１４の抜け止めの役割を果たす。
【００１１】
ハウジング１０の後面の略中央には、器具本体２のねじ挿通孔２６を介して組立ねじが挿入される略円形状の取付孔１５が貫設されており、係止爪１４を係止孔２３，２４に係止させた状態で組立ねじを螺合することで端子台１を器具本体２上面に取付固定することができる。また、ハウジング１０の後面には後方に突出する略円柱状の突起１６が一体に形成されており、当該突起１６を器具本体２の突起挿通孔２７に挿入することで、端子台１を器具本体２に取り付ける際の位置決めの役割を果たしている。
【００１２】
以下、端子台１を器具本体２上面に取り付ける方法について説明する。先ず、端子台１の一方の係止爪１４を器具本体２上面の連通孔２３ｂに挿通させ、各主片１４ａを長孔２３ａにスライド移動させる。次に、端子台１の接地片１３ｅを器具本体２上面の接地孔２５に挿入するとともに、端子台１の突起１６を器具本体２上面の突起挿通孔２７に挿入する。そして、他方の係止爪１４を係止孔２４に押し込むことで、各突片１４ｃの先端部が係止孔２４の内周縁に沿って摺動して各主片１４ａが互いに近付く向きに撓み、係止孔２４に徐々に挿入される。更に他方の係止爪１４を一定以上押し込むと、突片１４ｃが係止孔２４に完全に挿通されることで各主片１４ａが元の状態に復帰し、係止爪１４が係止孔２４に係止される。最後に、組立ねじを器具本体２上面のねじ挿通孔２６に挿通させて端子台１の取付孔１５に螺合することで、端子台１が器具本体２上面に取付固定される（図５（ｂ），（ｃ）参照）。
【特許文献１】特開平７−１７６３３５号公報
【発明の開示】
【発明が解決しようとする課題】
【００１３】
しかしながら、上記従来例では、端子台１の係止爪１４を器具本体２の係止孔２３，２４に挿入して取り付けた際に、係止爪１４が係止孔２４の長手方向に沿って撓み自在な状態で係止されるため、係止爪１４に対して互いに近付く向きの外力が加わると係止が解除されて端子台１が器具本体２から外れてしまう虞があった。
【００１４】
本発明は、上記の点に鑑みて為されたもので、外力が加わって端子台が器具本体から外れてしまうのを防止することのできる照明器具を提供することを目的とする。
【課題を解決するための手段】
【００１５】
請求項１の発明は、上記目的を達成するために、一方向に撓み自在な一対の主片を有する係止爪を一対備えるとともに外部電源からの給電線が接続される端子台と、放電灯が着脱自在に装着される一乃至複数のソケットと、端子台と負荷線で接続されるとともにソケットを介して放電灯に点灯電力を供給する安定器と、一面に端子台の係止爪が各々係止される一対の係止孔が貫設されるとともにソケット及び安定器を収納する器具本体とから成る照明器具であって、少なくとも一方の係止孔は、長手方向が係止爪の主片の撓み方向に沿った略矩形状であって、その長手方向に沿った内周縁にはそれぞれ互いに向き合う方向に突出した突部が設けられ、突部は、係止爪が係止孔に係止された状態において変位していない主片と接触する寸法、若しくは係止孔から外れない程度に変位した主片と接触する寸法に形成されたことを特徴とする。
【００１６】
請求項２の発明は、請求項１の発明において、突部は、係止孔の内周縁の長手方向における端部から略中央部にかけて曲面形状に形成されたことを特徴とする。
【発明の効果】
【００１７】
本発明によれば、係止爪を係止孔に係止させた状態で係止爪に対して主片が撓む方向の外力が加えられても、突部によって主片が係止孔の長手方向に沿って移動することが規制されるので主片が係止が解除される程度に撓むことがない。したがって、従来のように単純な矩形状の係止孔と比較して係止が解除され難く、外力が加わって端子台が器具本体から外れてしまうのを防止することができる。
【発明を実施するための最良の形態】
【００１８】
以下、本発明に係る照明器具の実施形態について図面を用いて説明する。但し、本実施形態の基本的な構成は従来例と共通であるので、共通する部位には同一の番号を付して説明を省略するものとする。本実施形態は、図１（ｂ）に示すように、器具本体２上面の係止孔２４の長手方向に沿った内周縁に、それぞれ互いに向き合う方向に突出した突部２４ａを設けたことに特徴がある。
【００１９】
突部２４ａは、図１（ｂ）及び図２（ａ），（ｂ）に示すように、係止孔２４の長手方向の端部から略中央部にかけて曲面形状（例えば、円弧形状）に形成されている。係止孔２４の長手方向の両端部は、係止爪１４の主片１４ａが力を加えることなく挿入可能な幅寸法で形成され、突部２４ａ間の距離が最も短い位置での係止孔２４ａの幅寸法Ｌ２は、係止爪１４の主片１４ａの幅寸法Ｌ１よりも僅かに短い寸法で形成されている。即ち、本実施形態の突部２４ａは、係止孔２４に挿入された各主片１４ａが係止孔２４から外れない程度に撓んだ（変位した）状態で接触する寸法に形成されている。
【００２０】
而して、係止爪１４の主片１４ａを係止孔２４に挿入した状態で各主片１４ａを互いに近付く向きに撓ませると、突部２４ａに接触することで一定以上の撓み方向の移動が規制される。このため、係止爪１４の主片１４ａに互いに近付く向きの外力が加わったとしても、突部２４ａによって各主片１４ａの一定以上の撓み方向の移動が規制されるため、係止爪１４の突片１４ｃが係止孔２４の周部と当接する状態が維持され、係止爪１４による係止が解除されることがない。したがって、従来例のように単純な矩形状の係止孔２４に係止爪２４を係止させる場合と比較して係止が解除され難く、外力が加わって端子台１が器具本体２から外れてしまうのを防止することができる。
【００２１】
また、係止爪１４を係止孔２４に係止させる場合には、一定以上の力で係止爪１４を押し込むことで係止爪１４の主片１４ａが互いに近付く向きに撓むとともに変形して係止孔２４に挿通され、係止爪１４が係止孔２４に係止される（図１（ａ）参照）。このため、従来例のように単純な矩形状の係止孔２４に係止爪２４を係止させる場合と同様に係止孔２４に係止爪２４を容易に係止させることができ、取付作業の容易性が損なわれることがない。
【００２２】
尚、本実施形態では、係止孔２４に挿入された各主片１４ａが係止孔２４から外れない程度に撓んだ状態で接触するような寸法で突部２４ａを形成しているが、係止孔２４に挿入された各主片１４ａが撓んでいない状態で接触するような寸法で形成しても構わない。この場合でも、上記と同様の効果を奏することができる。
【図面の簡単な説明】
【００２３】
【図１】本発明に係る照明器具の実施形態の要部説明図で、（ａ）は係止孔に係止爪が係止された状態の断面図で、（ｂ）は（ａ）を下側から見た平面図である。
【図２】（ａ）は同上の要部平面図で、（ｂ）は係止孔の拡大図である。
【図３】従来の照明器具の器具本体の概略図で、（ａ）は全体斜視図で、（ｂ）は側面図で、（ｃ）は他の方向から見た側面図で、（ｄ）は下側から見た平面図である。
【図４】（ａ）〜（ｆ）は同上の端子台の概略図である。
【図５】同上の端子台の取付構造を示す図で、（ａ）は要部平面図で、（ｂ）は端子台を取り付けた状態における側面図で、（ｃ）は（ｂ）を他の方向から見た側面図である。
【符号の説明】
【００２４】
１  端子台
１４  係止爪
１４ａ  主片
２  器具本体
２０  ソケット
２３，２４  係止孔
２４ａ  突部
【図１】
2010080349.tif 000003
【図２】
2010080349.tif 000004
【図３】
2010080349.tif 000005
【図４】
2010080349.tif 000006
【図５】
2010080349.tif 000007